【手続補正書】
【提出日】平成26年2月25日(2014.2.25)
【手続補正１】
【補正対象書類名】特許請求の範囲
【補正対象項目名】全文
【補正方法】変更
【補正の内容】
【特許請求の範囲】
【請求項１】
磁場を発生させるように作られた磁場発生装置であって、該磁場発生装置は、搬送信号により励起されるように作られ、該磁場発生装置は、
ループアンテナアセンブリーを有するインダクティブ要素であって、該ループアンテナアセンブリーの全周は、前記搬送信号の波長の２５％より短いことを特徴とするインダクティブ要素と、
前記インダクティブ要素と接続した少なくとも１つのキャパシティブ要素と、
を有することを特徴とする、磁場発生装置と、
前記磁場発生装置と磁気的に結合するように作られ、該磁場発生装置から生じた磁場の少なくとも一部を集束させるように作られた分割リング共振器アセンブリーと、
前記磁場発生装置から所定の距離に位置する渦電流トラップと、
を具備する磁場集束アセンブリー。
【請求項２】
前記磁場発生装置はアンテナ アセンブリーを有することを特徴とする請求項１に記載の磁場集束アセンブリー。
【請求項３】
前記分割リング共振器アセンブリーは、メタマテリアルで組み立てられていることを特徴とする請求項１に記載の磁場集束アセンブリー。
【請求項４】
前記分割リング共振器アセンブリーは、非鉄材料で組み立てられていることを特徴とする請求項１に記載の磁場集束アセンブリー。
【請求項５】
前記分割リング共振器アセンブリーは、一般に平らで幾何学的形状をもつよう作られていることを特徴とする請求項１に記載の磁場集束アセンブリー。
【請求項６】
前記磁場発生装置は、規定の周波数の搬送信号により励起されるように作られ、前記分割リング共振器アセンブリーは、前記搬送信号の規定の周波数より約５〜１０％高い共振周波数を持つよう作られていることを特徴とする請求項１に記載の磁場集束アセンブリー。
【請求項７】
前記インダクティブ要素は、前記第１のスロットアセンブリーの近傍に配置され、前記第１のスロットアセンブリー内にある第１のＲＦＩＤタグアセンブリーの存在を検出し、前記第１のスロットアセンブリーに隣接する第２のスロットアセンブリー内にある第２のＲＦＩＤタグアセンブリーの存在は検出しないように作られていることを特徴とする請求項１に記載の磁場集束アセンブリー。
【請求項８】
前記ループアンテナアセンブリーの全周は、前記搬送信号の波長の約１０％であることを特徴とする請求項１に記載の磁場集束アセンブリー。
【請求項９】
前記少なくとも１つのキャパシティブ要素は、前記搬送信号を受信するポートとアースとに接続するように作られている第１のキャパシティブ要素を有することを特徴とする請求項１に記載の磁場集束アセンブリー。
【請求項１０】
前記少なくとも１つのキャパシティブ要素は、前記搬送信号を受信するポートと前記インダクティブ要素とに接続するように作られている第２のキャパシティブ要素を有することを特徴とする請求項９に記載の磁場集束アセンブリー。
【請求項１１】
前記磁場発生装置は、搬送信号により励起されるように作られ、該磁場発生装置は、
マルチセグメントループアンテナアセンブリーを有するインダクティブ要素であって、該マルチセグメントループアンテナアセンブリーは、
搬送信号の位相シフトを少なくとも第１のアンテナセグメント内に減少させるように作られた少なくとも第１の位相シフト要素を有する少なくとも第１のアンテナセグメントと、
搬送信号の 位相シフトを少なくとも第２のアンテナセグメント内に減少させるように作られた少なくとも第２の位相シフト要素を有する少なくとも第２のアンテナセグメントと、
を有し、
各アンテナセグメントの長さは前記搬送信号の波長の２５％以下であることを特徴とするインダクティブ要素と、
前記マルチセグメントループアンテナアセンブリーのインピーダンスを調整するように作られている少なくとも１つのマッチング要素と、
を具備することを特徴とする請求項１に記載の磁場集束アセンブリー。
【請求項１２】
前記インダクティブ要素は処理システムのアクセスアセンブリーの近傍に位置し、該アクセスアセンブリーをＲＦＩＤに基づき活性化するように作られていることを特徴とする請求項１１に記載の磁場集束アセンブリー。
【請求項１３】
前記第１の位相シフト要素と前記第２の位相シフト要素のうちの少なくとも１つはキャパシティブ要素を具備することを特徴とする請求項１１に記載の磁場集束アセンブリー。
【請求項１４】
各アンテナセグメントの長さは、搬送信号の波長の約１０％であることを特徴とする請求項１１に記載の磁場集束アセンブリー。
【請求項１５】
前記少なくとも１つのマッチング要素は、
前記搬送信号を受信するポートとアースとに接続するように作られた第１のマッチング要素を具備することを特徴とする請求項１１に記載の磁場集束アセンブリー。
【請求項１６】
前記第１のマッチング要素はキャパシティブ要素を具備することを特徴とする請求項１５に記載の磁場集束アセンブリー。
【請求項１７】
前記少なくとも１つのマッチング要素は、
搬送信号を受信するポートと前記インダクティブ要素とに接続するように作られた第２のマッチング要素を具備することを特徴とする請求項１５に記載の磁場集束アセンブリー。
【請求項１８】
前記第２のマッチング要素は、キャパシティブ要素を具備することを特徴とする請求項１７に記載の磁場集束アセンブリー。
【請求項１９】
搬送信号により励起されるように作られたＲＦＩＤアンテナアセンブリーであって、該ＲＦＩＤアンテナアセンブリーは、
マルチセグメントループアンテナアセンブリーを有するインダクティブ要素であって、該マルチセグメントループアンテナアセンブリーは、
前記搬送信号の位相シフトを少なくとも第１のアンテナセグメント内に減少させるように作られた少なくとも第１の位相シフト要素を有する少なくとも第１のアンテナセグメントと、
前記搬送信号の位相シフトを少なくとも第２のアンテナセグメント内に減少させるように作られた少なくとも第２の位相シフト要素を有する少なくとも第２のアンテナセグメントと、
を具備し、
各アンテナセグメントの長さは前記搬送信号の波長の２５％以下であることを特徴とするインダクティブ要素と、
前記マルチセグメントループアンテナアセンブリーのインピーダンスを調整するように作られている少なくとも１つのマッチング要素と、
前記マルチセグメントループアンテナアセンブリーから所定の距離に位置する渦電流トラップと、
を具備することを特徴とするＲＦＩＤアンテナアセンブリー。
【請求項２０】
前記インダクティブ要素は、処理システムのアクセスアセンブリーの近傍に位置し、該アクセスアセンブリーをＲＦＩＤに基づき活性化するように作られていることを特徴とする請求項１９に記載のＲＦＩＤアンテナアセンブリー。
【請求項２１】
前記第１の位相シフト要素と前記第２の位相シフト要素のうちの少なくとも１つは、キャパシティブ要素を有することを特徴とする請求項１９に記載のＲＦＩＤアンテナアセンブリー。
【請求項２２】
各アンテナセグメントの長さは、搬送信号の波長の約１０％であることを特徴とする請求項１９に記載のＲＦＩＤアンテナアセンブリー。
【請求項２３】
前記少なくとも１つのマッチング要素は、
前記搬送信号を受信するポートとアースとに接続するように作られた第１のマッチング要素を具備することを特徴とする請求項１９に記載のＲＦＩＤアンテナアセンブリー。
【請求項２４】
前記第１のマッチング要素はキャパシティブ要素を具備することを特徴とする請求項２３に記載のＲＦＩＤアンテナアセンブリー。
【請求項２５】
前記少なくとも１つのマッチング要素は、
搬送信号を受信するポートと前記インダクティブ要素とに接続するように作られた第２のマッチング要素を具備することを特徴とする請求項２３に記載のＲＦＩＤアンテナアセンブリー。
【請求項２６】
前記第２のマッチング要素は、キャパシティブ要素を具備することを特徴とする請求項２５に記載のＲＦＩＤアンテナアセンブリー。